Podtech/llm-jp-corpus-v4-ja_patent huggingface dataset:
(57)【要約】      （修正有）【課題】手をぬらさずに使える棒状のものに磨く物と拭く物を備え、一つで二役の使い捨てクリーナー棒の提供。【解決手段】１は紙やプラスチック等の材質の軸棒で、両端で磨いたり拭いたりできるように固めの物にする。２は汚れた部分を磨くための材質となるメラミンフォーム・ポリウレタンフォーム・ナイロン・スチールウール・研磨材入りの不織布等のスポンジやたわし素材の物を付ける。３は拭き取りをするための吸収のよい素材とした綿やガーゼ・紙等の物を付ける。【選択図】図１
0003137812.tif 000002
【実用新案登録請求の範囲】
【請求項１】
軸棒の片方の端に汚れた部分を磨くための材質となるメラミンフォーム・ポリウレタンフォーム・ナイロン・スチールウール・研磨材入りの不織布等のスポンジやたわし素材の物を付け、もう片方には拭き取りをするための吸収のよい素材とした綿やガーゼ・紙等の物を付ける。スポンジ・たわし状の物とフキン・雑巾状の物の役割を一つにした使い捨てクリーナー棒である。端に付ける素材の量は細かい角や溝を磨くための小さめの物からグリルの網の間や流し排出口などを磨く大きめの物にし、用途に合わせて使いやすい大きさの物にする。軸棒は紙やプラスチックなどの材質にし、一回ずつ使い捨てるものにする。
【考案の詳細な説明】
【技術分野】
【０００１】  本考案は、軸棒の片方の端に汚れた部分を磨くための材質となるメラミンフォーム・ポリウレタンフォーム・ナイロン・スチールウール・研磨材入りの不織布等のスポンジやたわし素材の物を付け、もう片方には拭き取りをするための吸収のよい素材とした綿やガーゼ・紙等の物を付ける。端に付ける素材の量は細かい角や溝を磨くための小さめの物からグリルの網の間や流し排出口などを磨く大きめの物にし、用途に合った大きさにする。軸棒は紙やプラスチックなどの材質にし、一回ずつ使い捨てるものにする。
【背景技術】
【０００２】  汚れた箇所をスポンジ等で磨いた後は布で拭き取るが、磨く物と拭く物を一つにしたものがない。又、使用後は、それぞれを洗っていたが油汚れや衛生面を考えた時に使い捨てた方がよいものがある。ひどい油よごれや流しの排出口などのぬめりなどを取る時には、その部分だけ磨ける量の物で使い捨てられるものがよい。しかし、使い捨て用の物でも捨てるにはもったいない大きさのものになっていて、洗ってまた使うことが多い。更に、水を使う物はどうしてもゴム手袋などをつけるが、手をぬらさずに使える棒状のものに磨く物と拭く物を備えもつ一つで二役の使い捨てクリーナー棒にする。
【考案の開示】
【考案が解決しようとする課題】
【０００３】  部分的な細かい汚れを落とすために大きい物をぬらして使い、油汚れなどがひどい場合は磨いた後のスポンジやたわしを洗うことにも時間がかかっていた。又、磨いた後に拭き取りをすれば、更にその布を洗うことで手間がかかった。従って、細かい部分汚れには小さいもので磨き・ひどい油汚れなどには使い捨てのできる、棒状の磨きと拭き取りができるものにすることで解決するものである。
【課題を解決するための手段】
【０００４】  本考案は一つの棒に磨くものと拭き取るものを両端に付け、一本あれば片側で水や洗剤などを使って磨け、もう一方で拭き取れるものとする。棒をにぎることで手をぬらしたり汚したりせずに使用できる。又、棒の先には使い切る分量をつけることで前述の課題を解決しようとするものである。
【考案の効果】
【０００５】  角や溝または雑貨類の網の間などの細かいところのほこり・油汚れ、水周り・流しの排出口などのぬめりなどの気になる部分の掃除が、手をぬらさず棒一本で磨いて拭き取ることができる。また衛生面を考えて一回で使い切り、捨てることができる。
【考案を実施するための最良の形態】
【０００６】  軸棒は固めで手に収まるような長さにし、片方の端に汚れた部分を磨くための材質となるメラミンフォーム・ポリウレタンフォーム・ナイロン・スチールウール・研磨材入りの不織布等のスポンジやたわし素材の物を球状に付け、もう片方には拭き取りをするための吸収のよい素材とした綿やガーゼ・紙等の物を付ける。端に付ける素材の量は細かい角や溝を磨くための小さめの球状の物からグリルの網の間や流し排出口などを磨く大きめの球状のものにし、用途に合わせて使いやすい大きさの物にする。
【実施例】
【０００７】  以下、添付図面に従って本発明の実施例について説明する。
１は紙やプラスチック等の材質の軸棒で、両端で磨いたり拭いたりできるように固めの物にする。２は汚れた部分を磨くための材質となるメラミンフォーム・ポリウレタンフォーム・ナイロン・スチールウール・研磨材入りの不織布等のスポンジやたわし素材の物を付ける。３は拭き取りをするための吸収のよい素材とした綿やガーゼ・紙等の物を付ける。２図・３図は球状の大きさをかえたもので、軸棒もそれに合わせて太さ等をかえたものである。
【産業上の利用可能性】
【０００８】（イ）手を汚さずに掃除ができる。
（ロ）磨くものと拭き取りが一つのものでできる。
（ハ）細かいところが磨ける。
【図面の簡単な説明】
【０００９】
【図１】本考案の使い捨てクリーナー棒小の正面図である。
【図２】本考案の使い捨てクリーナー棒中の正面図である。
【図３】本考案の使い捨てクリーナー棒大の正面図である。
【符号の説明】
【０００１０】１  軸棒
２  磨く球
３  拭き取る球
【図１】
0003137812.tif 000003
【図２】
0003137812.tif 000004
【図３】
0003137812.tif 000005
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
使い捨てクリーナー棒において、
（１）軸棒の片方の端に汚れた部分を磨くための材質となるメラミンフォーム・ポリウレタンフォーム・ナイロン・スチールウール・研磨材入りの不織布等のスポンジやたわし素材の物を付け、もう片方には拭き取りをするための吸収のよい素材とした綿やガーゼ・紙等の物を付けたものであり、
（２）軸棒は紙やプラスチックなどの材質にし、一回ずつ使い捨てできるものであり、
（３）上記によって構成されたクリーナー棒を大・中・小と大きさを異にして形成したものであり、
以上の構成からなる使い捨てクリーナー棒。
(57)【要約】【課題】  本考案は、電話受話器のらせん型カールコードの使用頻度による捩れと絡み、受話器本体の自重を利用した絡み・捩れが起きたらせん型カールコードの解消法によるらせん型カールコードの伸び、この３点の防止すること。【解決手段】  本考案は、蛇腹様部分と直管部分を交互に有する合成樹脂製の軽量で透明な縦一本に切り込みを入れた防止具を電話受話器のらせん型カールコードに被せることで、らせん型カールコードが捩れたり、絡まったりすることで生じる電話機使用時の不快感と絡み・捩れの解消で生じるらせん型カールコードの伸びの防止に役立つ。また、嵩張らない透明な管であることから、美観に違和感が少ない。【選択図】図１
0003137820.tif 000002
【実用新案登録請求の範囲】
【請求項１】
電話受話器に使用されている、らせん型カールコードのよじれや絡まりを防止しながら、らせん型カールコードの伸縮機能を妨げずに、らせん型カールコードに装着または取り外すときも簡便であるよう合成樹脂素材の軽量な管に縦一線に切りこみを入れており（開け方は図２参照、切り目は＊Ａを参照）、管の形状も蛇腹タイプの伸縮機能部分と捻れや絡み防止のための直管の部分とを組み合わせる特徴を持ち（図３参照）、らせん型カールコードの端から端まで全体に装着を必要とせずに（図１参照）頻繁にらせん型カールコードの捩れや絡まりの補正のために受話器の自重を利用し逆さまにすることによって発生する、らせん型カールコードの伸びも予防できる防止具。
【考案の詳細な説明】
【技術分野】
【０００１】  本考案は、らせん型カールコードの中央部分に５０センチ程度の蛇腹部分と直管部分を交互にした形状で縦一線に切り込みある軽量な合成樹脂製の管で、らせん型カールコードを取り外すことなく簡単に取り付け可能ならせん型カールコードの捩れと絡まりと伸びの防止具である。
【背景技術】
【０００２】  長電話でいつも受話器のらせん型カールコードの捩れや絡まり、受話器を逆さまにして受話器の自重で絡まりと捩れを解消する頻度が高く、捩れや絡まりがひどいときには、受話器に近い場所でしか電話を取れなかったりする経験から、インターネットで何かその解消方法か、防止具が無いかと、検索してみたところ、らせん型カールコードの絡みや捩れに悩まされているという項目ばかりだったので、いろいろ実験を繰り返して、当らせん型カールコード捩れ絡み防止具を考え出した。
【考案の開示】
【考案が解決しようとする課題】
【０００３】  らせん型カールコードを使用する電話の受話器は使用頻度が高いほどらせん型カールコードの捩れや絡みなど起きやすい。受話器の自重を利用してぶら下げてコードの捩れや絡みを解消する方法が簡単ではあるが、面倒でもあり、らせん型カールコード自体の伸びをも引き起こすことから、簡単にこれらの問題を解消できるものとして、その防止具があれば有用である。
【課題を解決する手段】
【０００４】  本考案は、らせん型カールコードの利便性を生かしながら、反面の捩れや絡まりが生じる問題点を簡便に解決しようとする目的で、その防止具として考案された合成樹脂製の透明な管で、長さは約５０センチという小さくて軽量なものでありながら、管は薄くて柔軟であり、蛇腹様の部分と真っ直ぐな部分を交互に形成することで、収縮性というらせん型カールコードの特性を損なわない（図３参照）、管は縦一線に切り込みを入れていることで（図１、図２、図３参照）、すでに使用中の受話器のらせん型カールコードにも、新しい電話機のらせん型カールコードへも簡単に取り付けることが出来ることを特徴としている。
【考案の効果】
【０００５】  不特定多数の人が利用する受話器のらせん型カールコードの捩れや絡まり、長電話や受信回数が多い家庭用電話の受話器のらせん型カールコードの捩れや絡まりを複雑な取り付け技術を要せず解決でき、この簡便性を材料の性質上からも安価で供給可能な防止具であるため、多数の電話受話器らせん型カールコードの絡みや捩れに悩まされている者には有用と思われる。実際に我が家ではこの防止具を取り付けて以来一ヶ月間、らせん型カールコードの捩れや絡みが激減し、電話を快適に使用できている。
【考案を実施するための最良の形態】
【０００６】  本考案品は長さ約５０センチ、直径蛇腹山部で２センチ、直管部１．３センチという嵩張らないサイズであり、すでにらせん型カールコードが伸びかけた状態でも装着可能であり、蛇腹形状部と直管形状部を組み合わせることで、伸縮性を保持し、管にある縦一本の切り込みにより、らせん型カールコードの中央部分に簡単に装着可能で、図１・図２・図３により、最良と思われる形態である。
【実施例】
【０００７】  図１が考案者の自宅で使用中の例。試験期間は約一ヶ月間。
【産業上の利用可能性】
【０００８】  電話受話器以外に使用されていて大きさが異なるらせん型カールコードに捩れや絡まりが生じる可能性がある場合に転用可能。
【図面の簡単な説明】
【０００９】
【図１】  現在試用中の我が家の電話と受話器らせん型カールコード捩れ・絡まり防止具の設置図。
【図２】  らせん型カールコード捩れ・絡まり防止具の全体図。蛇腹様部分は直径山部で２センチ、直管部分は直径１，３センチ、蛇腹部分が伸びていない状態では長さ約５０センチ。重量は約２０グラム。
【図３】  電話受話器用らせん型カールコードにこの捩れ・絡み防止具を取り付ける際に、簡単にできるように考案された管に縦一本に入れた切り込みが指で開けられる説明図。
【符号の説明】
【００１０】  １  本案の捩れ・絡み防止具をらせん型カールコードに装着した電話機
２  電話受話器のらせん型カールコードが捩れたり絡まることを防止するために考案された防止具の全体
３  防止具に縦一本に入れた切れ目の開け方
４  縦一本に入れた切れ目
【図１】
0003137820.tif 000003
【図２】
0003137820.tif 000004
【図３】
0003137820.tif 000005
【手続補正書】
【提出日】平成19年9月11日(2007.9.11)
【手続補正１】
【補正対象書類名】実用新案登録請求の範囲
【補正対象項目名】全文
【補正方法】変更
【補正の内容】
【実用新案登録請求の範囲】
【請求項１】
電話受話器に使用されている、らせん型カールコードの伸縮機能を妨げずに、らせん型カールコードに装脱着が簡便であるように、合成樹脂素材の軽量な管に縦一線に切り込みを入れており、管の開け閉めが簡単で、管の形状も蛇腹状の伸縮機能部分と、捻れや絡み防止のための直管の部分とを組み合わせる特徴を持つことにより、らせん型カールコードの端から端まで全体に装着を必要とせずに、煩雑にらせん型カールコードの捩れや絡まりの補正のために受話器の自重を利用して逆さまにすることによって発生するらせん型カールコードの伸びや傷みも防ぐことができることから、らせん型カールコードの捩れと絡まり、らせん型カールコードの伸び、この二点を予防する防止具。
(57)【要約】      （修正有）【課題】冷蔵庫を開けて食品の賞味期限を調べるのに時間がかったり、また期限切れで食品を無駄にすることがなくなるようにする。【解決手段】冷蔵庫の表面の表示板に、冷蔵庫に入れられている食品の賞味期限を表示する。【選択図】図１
0003137815.tif 000002
【実用新案登録請求の範囲】
【請求項１】
冷蔵庫のドア等の外面を利用し、冷蔵庫に入れられた食品の賞味期限を表示できるようにするシステム付冷蔵庫。
【考案の詳細な説明】
【技術分野】
【０００１】  本考案は、冷蔵庫に入れられている食品の賞味期限を冷蔵庫に表示するシステムに関する。
【背景技術】
【０００２】  従来のシステムでは、冷蔵庫に入れられている食品の賞味期限が分からないので、いつの間にか賞味期限が過ぎていることがある。（図２）
【考案の開示】
【考案が解決しようとする課題】
【０００３】  これではせっかく購入した食品を無駄にしてしまうことになり、また、冷蔵庫に入っている食品の賞味期限を調べるのに時間を要する。
【課題を解決するための手段】
【０００４】  そこで、冷蔵庫のドア等に冷蔵庫に入れられている食品の賞味期限を表示することを考案した（図１）。
【考案の効果】
【０００５】  よって、このシステムにより、冷蔵庫を開けて食品の賞味期限を調べたるのに時間がかかるたり、また期限切れで食品を無駄にすることがなくなる。
【考案を実施するための最良の形態】
【０００６】  本考案に係るシステム１０は、図１に示すように、食品に記載された商品名や賞味期限をバーコード等で読み取りか転記し、それを冷蔵庫のドア表面の表示板１に表示させる。
【図面の簡単な説明】
【０００７】
【図１】  本考案に係る表示板を設けた冷蔵庫のドア正面図である。
【図２】  従来冷蔵庫のドア正面図のである。
【符号の説明】
【０００８】  １  賞味期限表示盤
１０  冷蔵庫
【図１】
0003137815.tif 000003
【図２】
0003137815.tif 000004
【手続補正書】
【提出日】平成19年9月5日(2007.9.5)
【手続補正１】
【補正対象書類名】実用新案登録請求の範囲
【補正対象項目名】全文
【補正方法】変更
【補正の内容】
【実用新案登録請求の範囲】
【請求項１】
在庫食品名とその賞味期限、保管場所等を表示する表示操作パネル付冷蔵庫。
【手続補正２】
【補正対象書類名】明細書
【補正対象項目名】全文
【補正方法】変更
【補正の内容】
【考案の詳細な説明】
【技術分野】
【０００１】本考案は、冷蔵庫に在庫されている食品名、その賞味期限及び保管場所等を冷蔵庫外面のドア等に表示する表示操作パネル付冷蔵庫に関する。
【背景技術】
【０００２】従来の冷蔵庫は、冷蔵庫内の食品の賞味期限が分かりにくいので、賞味期限切れにして食品を無駄にしてしまうことがある（図２）
【考案の開示】
【考案が解決しようとする課題】
【０００３】これでは食品を無駄にすると共に、賞味期限や保管場所を調べるのに時間を要する。
【課題を解決するための手段】
【０００４】そこで、冷蔵庫のドア外面等に冷蔵庫に入れられている食品とその賞味期限や保管場所を表示する表示操作パネル付冷蔵庫を考案した（図１）。
【考案の効果】
【０００５】よって、当該パネルにより、賞味期限切れによる食品の無駄がなくなり、また冷蔵庫を開けて食品の賞味期限を調べる手間がなくなる。
【考案を実施するための最良の形態】
【０００６】本考案に係る表示操作パネル付冷蔵庫１０は、図１に示すように、冷蔵庫内の在庫商品名、その賞味期限、保管場所等を冷蔵庫のドア表面の液晶表示操作パネル１に表示させる。
【図面の簡単な説明】
【０００７】
【図１】本考案に係る当該表示操作パネル付冷蔵庫のドア正面図である。
【図２】従来冷蔵庫のドア正面図のである。
【符号の説明】
【０００８】  １    液晶表示操作パネル
１０    冷蔵庫
(57)【要約】      （修正有）【課題】原動機等で駆動する刈払機用刈刃の刃先の摩耗寿命を向上させる。【解決手段】刃先を立体的位置に設け、刃先と異物との干渉を物理的に軽減又は回避させるために、平鉄円盤形刈刃の形状を、外縁が開いた丸盆形状として刃を湾曲した外縁に位置させる事により物理的に刃先と異物との干渉を回避又は軽減させる結果、刃先の摩耗寿命を延ばし再研削作業を省力する。【選択図】図２
0003137898.tif 000002
【実用新案登録請求の範囲】
【請求項１】
原動機等で駆動する刈払機用刈刃の仕様は従来平鉄円盤形を基調とするが、その平鉄円盤形状を外縁が開いた丸盆形状とし、その湾曲外縁部に刃を施すことにより刃先と異物との接触を軽減又は回避させる改善型刈刃用替刃。
【考案の詳細な説明】
【技術分野】
【０００１】
本考案は刈刃の刃先摩耗軽減に関する。
【背景技術】
【０００２】
一般的な刈刃は直径２５センチ前後の平鉄円盤形の外縁部に複数の刃を設けたものである。刃先の摩耗対策として様々な物があるが、主としてこの刃先に超硬金属チップを溶着して対応する物、鉄板素材自体を肉厚にして対応を試みる物、更には刃の部分の材質を樹脂製として刃先が受ける負荷を軽減させる狙いの物がある。
【考案の開示】
【考案が解決しようとする課題】
【０００３】
刈刃の要は刃先の切れ味である。一方、雑草が生えている地面は平らとは限らずモグラ等による凹凸或いは風雨による石の露出があり、雑草に隠れたこれらを避けて刈刃を操作させることは出来ないので、これらの異物に刃先から衝突する結果摩耗に至る。刃先に超硬金属チップを装着すれば刃先の保全は改善されるが金属チップが数個脱落した段階でバランスが狂い使用に耐えなくなる。衝撃に対し鉄板を肉厚にして対応する物は重量が重く且つ摩耗した刃の部分の再研削に難点があり、刃を樹脂製で対応する物は固い茎の草が無い所とか場所が制約される。平鉄円盤形の基本的な刈刃は最も構造が単純で切れ味があり、刃先が摩耗すれば研削し直径が３分の１程度減ずるまで再使用する事も出来る。本考案はこの刃先摩耗を遅らせる事により効率を高めるものである。
【課題を解決するための手段】
【０００４】
一般的な平鉄円盤形刈刃のその形状を、外縁が開いた丸盆形状として刃を湾曲した外縁に位置させる事により物理的に刃先と異物との干渉を回避又は軽減させる結果、刃先の摩耗寿命を延ばし再研削作業を省力する。
【考案の効果】
【０００５】
刈刃の刃先耐摩耗に関し従来種々検討されて来たが、全て刃先が同一平面回転体の外縁にある事を想定している。回転体の外縁は最初に異物と干渉する位置であるから、刃先を立体的位置に設ければ異物との干渉は全て避け得ずとも物理的に軽減できることになる。刃先の再研削も可能である。
【考案を実施するための最良の形態】
【０００６】
雑草等を刈り払うと云う単純作業に於いては、特別な操作、制約はない。一般作業者が本考案品を取り扱うに際し、本体への着脱を含め特筆すべき点は何もない。
【図面の簡単な説明】
【０００７】
【図１】本考案の刈刃の平面図である。
【図２】本考案の刈刃の断面図である。
【符号の説明】
【０００８】
１  刈刃本体
２  湾曲した外縁
３  刃先
１    ２    ３
【図１】
0003137898.tif 000003
【図２】
0003137898.tif 000004
(57)【要約】      （修正有）【課題】インク、塗料、接着剤、薬液等の液体吐出装置に於いて、吐出ノズル先端で液が乾燥硬化するのを防止する装置を提供する。【解決手段】密閉筒体の、上部にノズル挿入口を形成し、内部に堰を設けて溶剤たまりを形成し、ノズル挿入口の直下にノズル突き出し口を形成し、筒の外側に溶剤供給口を形成した乾燥防止具。【選択図】図１
0003137808.tif 000002
【実用新案登録請求の範囲】
【請求項１】
密閉筒体の、上部にノズル挿入口を形成し、内側に堰を設けて溶剤たまりを形成し、ノズル直下にノズル突き出し口を形成し、筒の外側に溶剤供給口を形成したノズルの乾燥防止具
【請求項２】
溶剤供給口に溶剤蒸気供給装置を連結した請求項１の乾燥防止具。
【考案の詳細な説明】
【技術分野】
【０１】インク、塗料、接着剤、薬液等の液体吐出装置に於いて、吐出ノズル先端で液が乾燥硬化するのを防止する装置に関する。
【背景技術】
【０２】従来、吐出ノズル先端の乾燥防止方法として、定置した溶剤ポット内にノズルを挿入する方法が行われている。この方法はノズルをポットまで移動する機構や時間を必要とし、又吐出中には挿入できないのでノズル先周辺に付着して乾燥する場合は防止できなかった。
【解決手段】
【０３】密閉筒体の、上部にノズル挿入口を形成し、内部に堰を設けて溶剤たまりを形成し、ノズル挿入口の直下にノズル突き出し口を形成し、筒の外側に溶剤供給口を形成したことを特徴とする乾燥防止具を提供する。
【作用】
【０４】ノズル挿入口よりノズルを挿入し、ノズル先端を内部に留めておき、溶剤供給口より溶剤を注入して溶剤たまりに溶剤をためる。この溶剤が蒸発し乾燥防止具内を蒸気で充満さしノズル先端の液の乾燥を防止する。吐出時にはノズル突き出し口よりノズル先端を外部に突き出して吐出する。吐出が終了するとノズルを元の位置に引き込む。
ノズル突き出し口より溶剤蒸気は少しずつ流失するが溶剤供給口より溶剤を供給して補う。
【実施例１】
【０５】乾燥防止具１は密閉構造の筒２の上方にノズル３の挿入穴４を開口し、下方にノズル突き出し口５を開口し、突き出し口５の周囲に堰６を設けて溶剤皿７を形成する。
筒２の外側面に溶剤の供給口８を開口し、蓋つき容器９を連結する。挿入穴４、突き出し口５は共にノズル３の外径より若干大きい程度の開口とする。
【作用】
【０６】挿入穴４よりノズル３を挿入し、ノズル３の先端が筒２の内部にある位置で乾燥防止具１を定置する。蓋つき容器９に溶剤を注入すると供給口８より溶剤皿７に溶剤がたまる。溶剤は蒸発し筒２内を溶剤蒸気で充満さしノズル３の先端の液の乾燥を防止する。吐出時にはノズル３をさらに突っ込みノズル突き出し口５より突き出して吐出する。吐出が終了するとノズルを元の位置に引き込む。
【０７】溶剤皿７の溶剤が減少すると蓋つき容器９に溶剤を注入して補充する。溶剤が水等蒸発し難い液のとき筒２を加熱して蒸発を促進する。
【効果】
【０８】乾燥防止具１は構造簡単で小型に形成でき、ノズル３周辺の僅かな空間に配置できる。またノズル３の上下運動のみで作用がおこなわれる。通常ノズル３の上下運動機構は塗布装置に装備されているので新たな機構を必要としない。
【０９】ノズル３の突き出し時あるいは引き込み時に、突き出し口５はノズル３の先端に付着した液玉を除去できる。
【１０】加熱して蒸発を促進する場合、ノズル３をも加熱でき高粘度液の粘度を下げて吐出を容易にする効果もある。
【実施例２】
【１１】実施例２はインクジェット、塗装ガン、エアブラシ、分注機等吐出液がノズル先より飛滴する場合の乾燥防止具である。【１２】乾燥防止具１０は実施例１と同じ構成であるがノズルヘッド１１の吐出口１２の直下に密着して取り付けられている。厚さｔは吐出に邪魔にならないように極薄に形成している。溶剤の供給口１３に溶剤定量供給装置１４を連結する。
【作用】
【１３】供給口１３より溶剤を供給し内部を溶剤蒸気で充満さす。吐出口１２周辺は溶剤蒸気が充満しているので乾燥を防止する。吐出口１２より液を飛滴さすとき、溶剤蒸気は邪魔にはならず、開口穴１５より飛滴する。
【１４】溶剤定量供給装置１４は乾燥防止具１０内の溶剤蒸気が希薄にならないように予めプログラムされた量、時間間隔等で溶剤を供給する。
【効果】
【１５】乾燥防止具１０として可動部をもたないので非常に小さく形成できノズルヘッドへの装着が容易。ノズルヘッドと一体形成も可能である。
【１６】溶剤の供給口１３に溶剤を供給するのでなく予め蒸気を作成し、蒸気そのものを供給することも可能である。水溶性の塗料等に有効な方法である。また蒸気を開口穴１５より噴霧さし塗布対象面に吹きつけ表面を馴染ましておくと、塗布した液の急激な乾燥が防止でき滑らかな塗布皮膜を形成できる。インクジェットの液滴は微小なので瞬間に乾燥するがこの方法だと隣り合う塗布液の境界をぼかす事ができる。フラットパネルの液晶滴下にも適応できる。
【１７】従来インクジェットノズルで吐出待機中に吐出口に露出している液の表面に薄い乾燥皮膜や濃度変化部が生成され、初回の吐出液を除外して対応したりしているが、乾燥防止具１０を装着し、蒸気濃度を管理すれば初回から有効に液を吐出できる
【図面の簡単な説明】
【１８】
【図１】  実施例１の乾燥防止具１の横断面図
【図２】  実施例１の乾燥防止具１０の横断面図で、ノズル３が突き出し口５より突き出した時の図
【符号の説明】
【１９】１：乾燥防止具  ２：筒  ３：ノズル  ４：挿入穴  ５：突き出し口
６：堰  ７：溶剤皿  ８：供給口  ９：蓋つき容器
【図１】
0003137808.tif 000003
【図２】
0003137808.tif 000004
【図３】
0003137808.tif 000005
【手続補正書】
【提出日】平成19年8月31日(2007.8.31)
【手続補正１】
【補正対象書類名】実用新案登録請求の範囲
【補正対象項目名】全文
【補正方法】変更
【補正の内容】
【実用新案登録請求の範囲】
【請求項１】
密閉筒体の、上部にノズル挿入口を形成し、内側に堰を設けて、吐出液の溶剤たまりを形成し、ノズル直下にノズル突き出し口を形成し、筒の外側に溶剤供給口を形成した液体吐出装置の吐出ノズルの乾燥防止具
【請求項２】
溶剤供給口に溶剤蒸気供給装置を連結した請求項１の乾燥防止具。
【手続補正２】
【補正対象書類名】明細書
【補正対象項目名】１８
【補正方法】変更
【補正の内容】
【１８】
【図１】実施例１の乾燥防止具１の横断面図
【図２】実施例１の乾燥防止具１の横断面図で、ノズル３が突き出し口５より突き出した時の図
【図３】実施例２の乾燥防止具１０の横断面図
(57)【要約】      （修正有）【課題】事務的な席札を華やかにし、なおかつプチギフトにもなる席札を提供する。【解決手段】厚さ約５ｍｍの科学樹脂材を本体と支えの２枚の型にカットし、本体をダイヤモンド粉末や金箔、ビーズ、レース、押し花、ラメのり、アクリル絵の具なと他いろいろなパーツで飾り華やかさを演出し、さらにプチギフトにもなれる様にした事で披露宴などで役立つ。【選択図】図１
0003137807.tif 000002
【実用新案登録請求の範囲】
【請求項１】
５ｍｍ位の透明な科学樹脂材を表面サイズ約９．３ｃｍ×８．５ｃｍの型と支えの型にカットし、本体アールの部分に直径４ｍｍと５ｍｍの穴を合計５箇所あけ、いろいろな材質を使い飾りつけした物に名前を印刷したカードを挟んだ席札。
【請求項２】
本体を約縦横９ｃｍ幅４．５ｃｍの透明ケースに入れリボンで装飾
【考案の詳細な説明】
【技術分野】
【０００１】本考案は名入りカードを挟んだ科学樹脂材の本体を装飾したもので、席札を華やかに演出する物である、場合により透明なケースに入れリボンで包みプチギフトにもなる。
【背景技術】
【０００２】  従来の席札は名前を記入しただけの事務的な物が多く、プラスチック製、木製、金属製などのカード立てが使われており味気なく、プチギフトにもならない。
【考案の開示】
【考案が解決しようとする課題】
【０００３】事務的な席札をもっと華やかな物にし、挙式後他のカードを挟み応用を楽しめるのでプチギフトとすることも出来る事で、前記の欠点を解決しようとするものである。
【課題を解決するための手段】
【０００４】本考案は約９．３ｃｍ×１４，５ｃｍの科学樹脂材を本体と支えの部分との２枚にカットし、本体アール部に直径４ｍｍと５ｍｍの穴を計５個開ける事で華やかな飾りつけが出来る、支えを二折りし両面の下部辺５ｍｍを接着する事でカードを挟み、またカードに記入する名前を白抜きにする場合は文字に光る素材などで上書きをして光らせ本体を透明な容器に入れリボンで包むことによりプチギフトにもなる。
【考案の効果】
【０００５】上記の様に本考案のキララ席札は、華やかさと温かみがあり披露宴の演出の一役にもなり、さらにプチギフトにもなることで役立つ。
【考案を実施するための最良の形態】
【０００６】キララ席札本体を透明なケースに入れた場合、中で斜めに安定させる、装飾材料は様々あるが名前が隠れないように気をつける、披露宴会場のテーブルの中心に近い位置に置く事で装花をさらに盛り上げる、
【実施例】
【０００７】以下、添付図面に従って一実地例を説明する。１は席札の本体、２は二つ折にしたカードを挟む本体の支え、３席札を入れる透明なケース、４のリボンでケースを包み場合により５ｗｅｄｄｉｎｇシールを張る、ａは直径４ｍｍの穴４ヶ、ｂは５ｍｍ穴ｃはリボンｄ本体と支えの接着部。
【産業上の利用可能性】
【０００８】本考案の一実地例は上述の如き構成からなるものであるから、身内に結婚式を控え新郎新婦へのプレゼントを考えている方々に薦められる事は勿論であるが、手作り教室でも楽しむ事が出来る物である。
【図面の簡単な説明】
【０００９】
【図１】席札の本体
【図２】二つ折にしたカードを挟む本体の支え
【図３】席札の側面図
【図４】ケースに入れた場合の席札の完成図
【符号の説明】
【００１０】１は席札の本体
２は二つ折にしたカードを挟む本体の支え
３は席札を入れる透明なケース
４はケースを包むリボン
５はｗｅｄｄｉｎｇのシール
ａは４ｍｍの穴
ｂは５ｍｍの穴
ｃは本体の飾りリボン
ｄは１と２の接着部
【図１】
0003137807.tif 000003
【図２】
0003137807.tif 000004
【図３】
0003137807.tif 000005
【図４】
0003137807.tif 000006
【手続補正書】
【提出日】平成19年9月10日(2007.9.10)
【手続補正１】
【補正対象書類名】実用新案登録請求の範囲
【補正対象項目名】全文
【補正方法】変更
【補正の内容】
【実用新案登録請求の範囲】
【請求項１】
５ｍｍ位の透明な化学樹脂材を表面サイズ約９．３ｍ×８．５ｃｍの型と、支の型にカットし、本体アールの部分に直径４ｍｍと５ｍｍの穴を合計５ヶ所空け、いろいろな材質を使い飾りつけした物に名前えを印刷したカードを挟んだ席札。
【請求項２】
本体を約縦横９ｃｍ幅４．５ｃｍの透明のケースに入れ、リボンで装飾された事を特徴とする請求項１記載の席札。
(57)【要約】      （修正有）【解決手段】靴べら１のほぼ中間に、杖挟持片３を設け、紙バサミ状とし、杖との着脱を容易にし、自己の杖に装着しておき必要とするとき、即座に立ったまま使用可能にした。また、靴べら１の握持上端部Ｄに合成ゴム製による滑止９を設け、着席したテーブル等の板面端、または椅子の背もたれ上枠部Ｂ等に杖の握持部Ｃを乗せ、滑止９を用いて下部からテーブル等の板面端、または椅子の背もたれ上枠部Ｂ等と、杖の握持部Ｃを挟み、杖の転倒を防止し身近に自己の杖を保持出来るようにした。【効果】杖挟持片３で常時装着しておくことにより、必要なとき即座に立ったままの状態で靴を履くことが出来、自己の杖をテーブル等の板面端と、または椅子背もたれ上枠部Ｂと、杖の握持部Ｃを滑止９で挟み杖の転倒を防止し、身近に自己の杖を保持出来る。【選択図】図２
0003137809.tif 000002
【実用新案登録請求の範囲】
【請求項１】
合成樹脂または、軽金属による適宜の長さを有した、半円錐形状に形成した靴べら１の、ほぼ中間位置に軸受２，２ａを設ける、杖挟持片３に設けた軸受４，４ａを嵌合せて、軸５で結合する、この時バネ６も同時に組込み結合させる、
着脱操作のため杖挟持片３にレバー部８を、他方靴べら１にレバー部７を一体的に形成してなる靴べら。
【請求項２】
靴べら１の握持上端部Ｄは裏面側へ若干弓なり形状とし、頂端部に合成ゴムで被覆した滑止９を設けた靴べら。
【考案の詳細な説明】
【技術分野】
【０００１】  この考案は靴べらの構造に関するものである。
【背景技術】
【０００２】  従来、腰・膝に障害のある人が立った状態で、靴を履くときに使う靴べらは、杖と靴べらを固着し一体化したもののみである。
【考案の開示】
【考案が解決しようする課題】
【０００３】  各種催し物会場等において、催し物終了後の靴ロッカー室の出口は、著しく混雑するのが実態である、腰・膝などに障害があるため杖を使用して行動いる人にとって、備え付けの数少ない靴べらを探すのに苦労するとともに、自力で靴を履くときは長時間を要し、体力の消耗著しい等のため介助人が必要である、
また、会議室・レストラン等においては、自力で椅子に着席するまで杖を使用したいが、杖の置き場所に難儀をし、テーブル上に置くと不衛生であり他人にも迷惑となり、やむをえず、足元のフロアーに横たえると、杖が汚れて不衛生となるため、玄関・出口等の傘たてに立てる方法では、介助人による椅子までの介助が必要であった。
【課題を解決するための手段】
【０００４】  第一の考案は適宜の長さの靴べら１のほぼ中間に、杖挟持片３を設け、紙バサミ状とし、杖との着脱を容易にし、自己の杖に装着しておき必要とするとき、即座に立ったまま使用可能にしたことを特徴とする靴べら。
第二の考案は本考案靴べら１の握持上端部Ｄに合成ゴム製による滑止９を設け、着席したテーブル等の板面端Ａ、または椅子の背もたれ上枠部Ｂ等に杖の握持部Ｃを乗せ、滑止９を用いて下部からテーブル等の板面端Ａまたは椅子の背もたれ上枠部Ｂ等と杖の握持部Ｃを挟み、杖の転倒を防止し身近に自己の杖を保持出来るようにしたことを特徴とする靴べら。
【考案の効果】
【０００５】  腰・膝の障害者で杖を使って行動する人が、自己の杖に、着脱を容易にするために設けた杖挟持片３で常時装着しておくことにより、必要なとき即座に立ったままの状態で靴を履くことが出来る、また、自己の杖をテーブル等の板面端Ａと、または椅子背もたれ上枠部Ｂと、杖の握持部Ｃを滑止９で挟み杖の転倒を防止し、身近に自己の杖を保持出来るので自力での行動範囲が拡大される等の効果がある。
【考案を実施するための最良の形態】
【０００６】  この考案の一実施形態を図１に示す。
この考案は、合成樹脂または、軽金属による適宜の長さを有した、半円錐形状に形成した靴べら１の、ほぼ中間位置に軸受２，２ａを設ける、杖挟持片３に設けた軸受４，４ａを嵌合せて、軸５で結合する、この時バネ６も同時に組込み結合させる、
着脱操作のため杖挟持片３にレバー部８を、他方靴べら１にレバー部７を一体的に形成し、靴べら１の握持上端部Ｄは裏面側へ若干弓なりさせ先端部は半渦巻き形状とし、合成ゴム製の滑止９を被覆してなる靴べらである。
【実施例】
【０００７】  腰・膝に障害のある人が、杖を使って行動するときは杖挟支持片３で、自己の杖に着脱レバー部７，８を押圧操作して装着し、催し物会場・会議室等に自力で歩行して椅子へ着席する、同時に杖は着席したテーブル等の板面端Ａまたは、椅子の背もたれ上枠部Ｂ等に杖の握持部Ｃを乗せて、滑止９を用いてテーブル等の板面端Ａまたは、椅子の背もたれ上枠部Ｂ等に、杖の握持部Ｃとの挟み幅をレバー部７，８で押圧操作しながら挟み込む状態で固定して、杖の転倒を防止し自己の杖を身近に保持する、また、催し物・会議等終了後においてはテーブル等の板面端Ａまたは、椅子の背もたれ上枠部Ｂ等に保持してあった杖を外して、その場から自力で歩行し出口において、レバー部７，８の押圧操作で即座に靴べら１を杖から外して、片手は杖で身体を支えもう一方の手で、靴べら１を使用し立ったまま自力で靴を履くことができる。
【産業上の利用可】
【０００８】
【図面の簡単な説明】
【０００９】
【図１】本案靴べらの斜視図
【図２】本案靴べらの実施斜視図
【図３】本案靴べらの正面図
【図４】本案靴べらの側面図
【図５】本案靴べらの裏面図
【図６】杖の握持部Ｃと滑止９でテーブル板面端Ａに固定保持した状態を示した図
【符号の説明】
【００１０】        １      靴べら                  Ａ    テーブル板面端
２，２ａ軸受                    Ｂ    椅子の背もたれ上枠部
３      杖挟持片                Ｃ    杖の握持部
４，４ａ軸受                    Ｄ    靴べら１の握持上端部
５      軸
６      バネ
７      レバー部
８      レバー部
９      滑止
【図１】
0003137809.tif 000003
【図２】
0003137809.tif 000004
【図３】
0003137809.tif 000005
【図４】
0003137809.tif 000006
【図５】
0003137809.tif 000007
【図６】
0003137809.tif 000008
【手続補正書】
【提出日】平成19年8月8日(2007.8.8)
【手続補正１】
【補正対象書類名】実用新案登録請求の範囲
【補正対象項目名】全文
【補正方法】変更
【補正の内容】
【実用新案登録請求の範囲】
【請求項１】
合成樹脂または、軽金属による適宜の長さを有した、半円錐形状に形成した靴べら１の、ほぼ中間位置に軸受２，２ａを設ける、杖挟持片３に設けた軸受４，４ａを嵌合せて、軸５で結合する、この時バネ６も同時に組込み結合させる、着脱操作のため杖挟持片３にはレバー部８を、靴べら１にはレバー部７を形成し握持上端部Ｄに滑止９を設けた靴べら。
【請求項２】
テーブル等の板面端Ａ、または椅子の背もたれ上枠部Ｂ等に杖の握持部Ｃを乗せ、滑止９を被覆してなる靴べら１の握持上端部Ｄで下方から挟み、杖の転倒を防止し容易に保持出来るようにしたことを特徴とする、請求項１記載の靴べら。
(57)【要約】      （修正有）【課題】外食事などに食事用エプロンを首に巻き付ける以外の方法で快適なおかつ簡便化した食事用エプロンの提供。【解決手段】食事用エプロンの首に巻き付ける部分がなく、裏側に平面テープをつけ直接衣類の襟部分に貼り付ける。【選択図】図１
0003137804.tif 000002
【実用新案登録請求の範囲】
【請求項１】
平面テープを使い、衣類に直接食事用エプロンを貼り付ける事で首に触れる違和感をなくし、なおかつ装着の手間を省く。
【考案の詳細な説明】
【技術分野】
【０００１】簡便性、快適性
【背景技術】
【０００２】首に巻き付けるタイプの食事用エプロン
【考案の開示】
【０００３】食事用エプロン装着の簡便化と不快感の除去
【考案が解決しようとする課題】
【０００４】テープ式
【課題を解決するための手段】
【０００５】首にまきつける部分をなくし胸部分に平面テープを使った食事用エプロンを直接貼り付ける
【考案の効果】
【０００６】首に食事用エプロンが触れず装着も簡単
【考案を実施するための最良の形態】
【０００７】なるべく襟元部分を覆う形で食品がしみこまないビニール製などの素材
【実施例】
【０００８】乳幼児の食事エプロン
【産業上の利用可能性】
【０００９】外食、育児用品
【図面の簡単な説明】
【００１０】
【図１】なるべく襟元部分を覆う形で食品がしみこまないビニール製などの素材
【符号の説明】
【００１１】１が汁受け。２と３が平面テープ。
【図１】
0003137804.tif 000003
【手続補正書】
【提出日】平成19年9月5日(2007.9.5)
【手続補正１】
【補正対象書類名】実用新案登録請求の範囲
【補正対象項目名】全文
【補正方法】変更
【補正の内容】
【実用新案登録請求の範囲】
【請求項１】
首まわり部分を無くした形状で、平面テープが裏面の胸部付近に設けられた事を特徴とする食事用エプロン。
(57)【要約】      （修正有）【課題】既に市販されている使い捨てマスクにおいて寒気によって眼鏡レンズがくもることを防止し、マスクを取り外すときに、マスクの耳掛け部分が眼鏡フレームの耳かけ部に入り込み、マスクを取り外す際に眼鏡も同時に外し眼鏡が落ちる危険を回避する。【解決手段】使い捨てマスク本体に補助マスクを取り付けさらにマスクと顔面を密着させて呼気が眼鏡レンズまで到達せずにくもりを防止する。又、眼鏡の耳掛けフレームにマスクの耳掛けひもが入り込ませない為に摘みを取り付けた。【選択図】図１
0003137803.tif 000002
【実用新案登録請求の範囲】
【請求項１】
市販されている使い捨てマスクの図Ａ型タイプ（平型）、Ｂ型（立体型）タイプの全てに適応する。
現在市販のマスクでノーズフイット材は廃止し顔面とマスクとが完全密着方法で両面テープ（粘着テープ）を使用する。
粘着テープは肌荒れ防止できる素材とし包帯止め等の医薬品の軟粘性の低刺激性の物を使用する。
【請求項２】
請求項１の他の方法として素足に塗るソックス止めを塗ることも提案する。
但し、マスクを取り外した場合はウエットティシュ等で汚れをふき取ることが発生する。
【請求項３】
使い捨てマスク本体に図１，２の補助マスクを取り付けることで呼気が上部への拡散を阻止し眼鏡のくもりを防止する。
【請求項４】
眼鏡のフレームの耳掛け部の先端よりマスクの耳掛けひも（ゴム）の入り込みを防止する為、図６の様な帯状のつまみを取り付けた。
取り付け位置は眼鏡フレーム先端よりも１０ｍｍ以上はみだしが必要でつまみのサイズは図４のように２０ｍｍ×６０ｍｍ程度必要でひもの中心部につまみの中心を合わせ取り付ける。
つまみの材質は簡易マスクと同じか肌触りの良い物として耳裏に隠れる程度の大きさであまり目立たない形状でマスクを外す際、つまみ易い様にする。
【請求項５】
眼鏡の入り込み対策は寒気対策マスク以外の全てのマスクに対応する。
又、つまみ部分のみでもオプションとし商品化もできる。
【考案の詳細な説明】
【技術分野】
【０００１】マスク本体の性能を同等とし呼気の拡散させる方法とし図１，２のマスク本体と同質素材の補助マスクとして取り付ける。【０００２】補助マスクの形状は図１，２に示す縦方向寸法Ａの半分程度とする。【０００３】補助マスクの取り付け方法は図１，２に示すａ，ｂ，ｃの３箇所を接着し外見上もマスク本体と変わらない程度で問題はない。
尚、マスク本体と補助マスクとの数ミリ程度の隙間があっても良い【０００４】顔面とマスク本体の密着両面テープの長さは図１，２のマスク本体長さの半分程度とする。【０００５】図５の耳掛け部のつまみはマスクの耳掛けひもの中心と▲１▼の部分を合わせ▲２▼で折り合わせる。
【図面の簡単な説明】
【図１】Ａ型タイプは平型の使い捨て簡易マスクでノースフィット材の無い物に補助マスクを取り付けたマスクで斜線部には両面テープ（粘着テープ）が貼り付けてある。
【図２】Ｂ型タイプは立体型の使い捨て簡易マスクでノースフィット材の無い物に補助マスクを取り付けたマスクで斜線部には両面テープ（粘着テープ）が貼り付けてある。
【図３】顔面を横から見た図で呼気の流れを示した図で眼鏡に対し呼気が殆ど影響を与えないことを示す。
【図４】マスクひもがメガネフレームに入り込み防止の取付け方
【図５】マスクひもがメガネフレームに入り込まない為のつまみ取付位置の説明
【符号の説明】
１      マスク本体
２      補助マスク
３      両面テープ（粘着テープ）
ａ〜ｃ  補助マスクの接着位置
【図１】
0003137803.tif 000003
【図２】
0003137803.tif 000004
【図３】
0003137803.tif 000005
【図４】
0003137803.tif 000006
【図５】
0003137803.tif 000007
【手続補正書】
【提出日】平成19年9月4日(2007.9.4)
【手続補正１】
【補正対象書類名】実用新案登録請求の範囲
【補正対象項目名】全文
【補正方法】変更
【補正の内容】
【実用新案登録請求の範囲】
【請求項１】
粘着テープを使用し補助マスクをもう一枚覆う様に取り付けたことを特徴とする使い捨てマスク。
【請求項２】
マスクを取り外す為の帯状のつまみを取り付けた使い捨てマスク。
【手続補正２】
【補正対象書類名】明細書
【補正対象項目名】０００４
【補正方法】変更
【補正の内容】
【０００４】顔面とマスク本体の粘着テープの長さはマスク本体長さの半分とした使い捨てマスク。
【手続補正３】
【補正対象書類名】図面
【補正対象項目名】全図
【補正方法】変更
【補正の内容】
【図１】
0003137803.tif 000008
【図２】
0003137803.tif 000009
【図３】
0003137803.tif 000010
【図４】
0003137803.tif 000011
【図５】
0003137803.tif 000012
(57)【要約】      （修正有）【課題】使い捨て式手袋を提供する。【解決手段】外層１は防水性プラスチック膜１１で、内層は通気性繊維材質布２１、２２で、２枚の内層繊維布を使用し、それぞれ外層１の２枚のプラスチック膜１１と相対して接着する。続いて、手袋周縁１３をホットプレス機によりシーリングし、２枚の内層の間には手を差し入れることができる開口２３を形成する。外層のプラスチック膜は防水、防湿の効果を備え、内層の繊維材質布は肌触りが快適で灯心機能を備えるため、手の汗は吸収され乾燥したさっぱり感を保持し、作業の安全性と効率を向上させることができる。【選択図】図２
0003137877.tif 000002
【実用新案登録請求の範囲】
【請求項１】
外層と内層とを含む使い捨て式手袋であって、該外層はプラスチック膜で防水性を備え、該内層は通気性繊維材質布で肌触りが良く吸汗通気性を備え、該内層と該外層の内面を相対させて接着し、次にシーリング機により必要なサイズに応じてシーリングして手袋を成型することを特徴とする、使い捨て式手袋。
【請求項２】
前記内層の前記通気性繊維材質布はPP繊維布であることを特徴とする、請求項１記載の使い捨て式手袋。
【請求項３】
前記内層の各通気性繊維材質布の厚さは0.1〜0.3mmであることを特徴とする、請求項１記載の使い捨て式手袋。
【請求項４】
前記外層の前記プラスチック膜はPE膜であることを特徴とする、請求項１記載の使い捨て式手袋。
【請求項５】
前記外層の各プラスチック膜の厚さは0.01〜0.03mmであることを特徴とする、請求項１記載の使い捨て式手袋。
【考案の詳細な説明】
【技術分野】
【０００１】
本考案は一種の外層のプラスチック膜と内層の繊維布により構成する使い捨て式手袋に係り、特に一種の灯心機能を備える通気性繊維材質布を、指及び手のひらと接触する内層とする使い捨て式手袋に関する。
【背景技術】
【０００２】
現在、一般に使用されている使い捨て式手袋は主に、PE或いはラテックスを材料とする。製造時には２枚の薄膜を重ね、手形周縁に沿って薄膜をシーリングし、手を差し入れることができる開口を残す。
【０００３】
この種の使い捨て式手袋はPE或いはラテックス材料により製造するが、これらは防水性を持ち通気しない材料であるため、一旦手袋に製造し使用者の手にはめると、不快な感覚を催し、さらには手の汗も排出されない。特に、ラテックス製の手袋では、内部にタンパク質を備えるため、皮膚アレルギーを起こし易い。
【考案の開示】
【考案が解決しようとする課題】
【０００４】
本考案は上記構造の問題点を解決した使い捨て式手袋を提供することを課題とする。
【課題を解決するための手段】
【０００５】
上記課題を解決するため、本考案に係る使い捨て式手袋は、主に外層と内層により構成され、該外層は２枚の手形状を備える防水性プラスチック膜で、該内層は２枚の手形状を呈する通気性繊維材質布で、それぞれ該外層の２枚のプラスチック膜と相対して接着し、続いて手袋周縁をホットプレス機によりシーリングし、２枚の内層の間には手を差し入れることができる開口を形成し、該外層のプラスチック膜は防水、防湿機能を備え、該内層繊維材質布は肌触りが快適で、灯心機能を備えるため手の汗は吸収され乾燥したさっぱり感を保持し、作業の安全性と効率を向上させることができる。
【考案の効果】
【０００６】
上記のように、本考案の外層のプラスチック膜は防水、防湿機能を備え、内層の繊維材質布は肌触りが快適で、灯心機能を備えるため手の汗は吸収され乾燥したさっぱり感を保持し、作業の安全性と効率を向上させることができる。
【考案を実施するための最良の形態】
【０００７】
図に示す実施例について、本考案の構造及び使用機能を以下に詳細に説明する。
【０００８】
図１、図２及び図３に示すように、本考案に係る使い捨て式手袋は外層１及び内層２により構成する。
【０００９】
該外層１は上、下２枚の手形状の防水性プラスチック膜１１及び１２を備え、PE膜或いはその他類似材質のプラスチック膜により製造する。その厚度は0.01〜0.03mmが最適である。
【００１０】
該内層２は２枚の手形状の通気性繊維材質布２１及び２２を備え、PP繊維布或いはその他類似材質の繊維布により製造する。その厚度は0.1〜0.3mmが最適である。
【００１１】
該２枚の外層プラスチック膜１１及び１２と該２枚の内層繊維材質布２１及び２２はそれぞれ相対し接着し、続いて該手袋周縁１３に沿ってシーリングするが、開口２３はシーリングせず手を入れることができる開口を形成する。
【００１２】
本考案の製造時には、繊維材質布とプラスチック膜を先に接着し、或いは繊維材質布の一辺に先に一層のプラスチック膜を接着し２層の複合材料とする。該２枚の複合材料をその繊維材質布を内層とし相互対称に重ね、続いてそれを手袋周縁サイズのモールドを設置するシーリング機にセットし、シーリングし手袋を成型し、同時に不要な端材を切断し製造を完成する。
【００１３】
本考案のこの製造工程は、公知の使い捨て式手袋の製造工程に比べ、先に２層のプラスチック膜を繊維材質布の上下に接着するだけで、その他は完全に相同である。よって、本考案は製造工程の増加により作業時間を大幅に増加させることはない。
【００１４】
反対に、本考案は内層２の設計により、繊維材質布が快適な肌触りと灯心機能を備えるため、使用者の手がかく汗を吸出することができ、乾燥したさっぱり感を保持可能である。こうして作業の安全性と効率を向上させながら、外層は防水、防湿の基本機能を保持することができる。よって、公知の手袋に比べ、本考案は顕著な機能の進歩を備える。
【００１５】
本考案は実用新案の要件に完全に符合しており、図示は本考案の最適実施例に過ぎず、本考案の技術思想に対する簡易な同等変化も本考案の保護範囲に含まれるものとする。
【図面の簡単な説明】
【００１６】
【図１】本考案の外観図
【図２】本考案の部分断面図
【図３】図２中のＡ-Ａ線における拡大断面図
【符号の説明】
【００１７】
１                   外層
１１               プラスチック膜
１２               プラスチック膜
１３               周縁
２                   内層
２１               通気性繊維材質布
２２               通気性繊維材質布
２３               開口
【図１】
0003137877.tif 000003
【図２】
0003137877.tif 000004
【図３】
0003137877.tif 000005